(57)【特許請求の範囲】
【請求項１】
透光性の指針部を有するノブと、光を前記指針部に導く導光部材と、前記ノブの回動によって電気的な特性が可変され電気信号を出力する受動素子と、前記受動素子が収納された筐体と、該筐体から外方に突出した回転軸とを備え、前記ノブが前記回転軸の先端部に固着され、前記導光部材が円環部と、該円環部の一部から前記円環部の中心軸と平行に延設された導出部と、前記円環部と前記導出部とを連結する連結部とを有し、該円環部が前記回転軸の外周囲に前記回転軸を囲むように配設され、前記ノブの回動によって前記回転軸と前記導光部材とが共に回動し、前記円環部、及び前記連結部によって前記導出部に導かれた光が、前記導出部を介して前記指針部を照光することを特徴とする照光式回転型電子部品。
【請求項２】
前記導光部材は、前記導出部が前記回転軸に添い、且つ、前記指針部に対向して配置されたことを特徴とする請求項１記載の照光式回転型電子部品。
【請求項３】
前記ノブは、略円筒状に形成され、前記導光部材の前記導出部には、前記導出部から前記円環部の中心軸方向に延設された係止部が形成され、前記回転軸の外周面部には凹部が形成され、前記係止部が前記凹部に係止されて、且つ、前記導光部材の前記円環部が前記回転軸の外周面部に保持され、前記導出部が前記回転軸の前記凹部と前記ノブの内壁との間にそれぞれと対向するように配置されたことを特徴とする請求項２記載の照光式回転型電子部品。
【請求項４】
透光性の指針部を有するノブと、光を前記指針部に導く導光部材と、前記ノブの回動によって電気的な特性が可変され電気信号を出力する受動素子と、前記受動素子が収納された筐体と、該筐体から外方に突出した回転軸とを備え、前記ノブが前記回転軸の先端部に固着され、前記導光部材が円環部と、該円環部の一部から前記円環部の中心軸と平行に延設された導出部と、前記円環部と前記導出部とを連結する連結部とを有し、該円環部が前記回転軸の外周囲に前記回転軸を囲むように配設され、前記ノブの回動によって前記回転軸と前記導光部材とが共に回動されるようにした照光式回転型電子部品の前記筐体が、基板に配設されており、この基板には、前記筐体から離間されてひとつ、又は複数個の光源が配設されており、前記光源からの光が前記円環部、及び前記連結部によって前記導出部に導かれ、前記導出部を介して前記指針部を照光することを特徴とする照光式回転型電子部品を用いた電子装置。
【請求項５】
前記導光部材は、前記導出部が前記回転軸に添い、且つ、前記指針部に対向して配置されたことを特徴とする請求項４記載の照光式回転型電子部品を用いた電子装置。
【請求項６】
前記ノブは、略円筒状に形成され、前記導光部材の前記導出部には、前記導出部から前記円環部の中心軸方向に延設された係止部が形成され、前記回転軸の外周面部には凹部が形成され、前記係止部が前記凹部に係止されて、且つ、前記導光部材の前記円環部が前記回転軸の外周面部に保持され、前記導出部が前記回転軸の前記凹部と前記ノブの内壁との間にそれぞれと対向するように配置されたことを特徴とする請求項５記載の照光式回転型電子部品を用いた電子装置。
【発明の詳細な説明】
【０００１】
【発明の属する技術分野】
本発明は、照光式回転型電子部品とそれを用いた電子装置に関し、特に、ノブに配置された指針部が光源からの光にて照光されて、ノブの回動位置を表示するのに好適な照光式回転型電子部品とそれを用いた電子装置に関する。
【０００２】
【従来の技術】
従来の照光式回転型電子部品を用いた電子装置について図面を用いて説明する。
図６は、従来の照光式回転型電子部品を用いた電子装置を示す正面図、図７は、従来の照光式回転型電子部品を用いた電子装置を示す側面図、図８は、従来の照光式回転型電子部品の導光部材を示す平面図、図９は、従来の照光式回転型電子部品の導光部材を示す側面図、図１０は、従来の照光式回転型電子部品の導光部材を示す正面図である。
【０００３】
図６、図７に示すように、従来の照光式回転型電子部品を用いた電子装置は、プリント配線基板１０と、プリント配線基板１０に配置された光源２０と、光源２０から離間され、プリント配線基板１０に配置され、受動素子としての切換部（図示せず）を収納した本体部３０と、本体部３０内の切換部を回転操作するための回転軸４０と、回転軸４０の先端部に配設され、導光部材５０と指針部６０とを有するノブ７０とによって概略構成されている。
【０００４】
また、従来の照光式回転型電子部品は、前記本体部３０と、前記回転軸４０と、前記導光部材５０と前記指針部６０とを有する前記ノブ７０とによって概略構成されている。
【０００５】
プリント配線基板１０は、例えば、絶縁性樹脂材料から成り、平板状に形成され、所定の箇所に形成された取付孔１０ａと、所定の回路パターン（図示せず）とを有している。
【０００６】
光源２０は、例えば、クリプトンランプやＬＥＤ（発光ダイオード）素子などから成り、所定の照度を有している。この光源２０は、プリント配線基板１０の取付孔１０ａ内に挿通され、例えば、半田付けや接着剤など適宜手段にてプリント配線基板１０に固着・接続されている。
【０００７】
本体部３０は、略箱形の筐体３０ａと、筐体３０ａから外方に突出して配設された軸受け部３０ｂと、筐体３０ａ内に収納・配置された切換部（図示せず）とを有している。この本体部３０は、プリント配線基板１０の光源２０から離間された位置に、例えば、半田付けや接着剤など適宜手段にてプリント配線基板１０に固着・接続されている。換言すれば、プリント配線基板１０上に配設された光源２０と本体部３０とは所定の距離をもって離間されている。
【０００８】
回転軸４０は、例えば、アルミニウムなどの金属材料から成り、切削加工などで形成され、全体として、略円柱状で、先端部（一方の端部）には、摺り落とし部４０ａが形成されている。この回転軸４０は、本体部３０の軸受け部３０ｂに挿通され、他方の端部が、筐体３０ａ内に収納・配置された切換部（図示せず）を駆動するように配設されている。
【０００９】
導光部材５０は、図８〜図１０に示すように、例えば、アクリル樹脂などの光を導くことが出来る合成樹脂材料からなり、成形加工によって形成され、略矩形の基部５０ａと、基部５０ａの下面から外方に突出された略円柱状の導光部５０ｂと、基部５０ａの上面から外方に突出された土手状の照光部５０ｃとを有している。
【００１０】
指針部６０は、図６に示すように、例えば、アクリル樹脂などの光を透過することが出来る透光性の合成樹脂材料から成り、成形加工によって形成されている。
【００１１】
ノブ７０は、例えば、合成樹脂材料から成り、成形加工によって形成され、略円筒状の摘み部７０ａと、摘み部７０ａの中央部から外方に突出された略円筒状の保持部７０ｂと、摘み部７０ａの外周縁部うちの所定の箇所の近傍に設けられた前記導光部材５０が配置される係合部７０ｃとを有している。
また、ノブ７０の係合部７０ｃと対向する位置には、前記指針部６０が表面が露出するように配設されている。
【００１２】
このノブ７０の係合部７０ｃには、前記導光部材５０が配置され、この状態で、この導光部材５０は、前記指針部６０と対向して配設されている。
【００１３】
次ぎに、この照光式回転型電子部品を用いた電子装置の動作について説明する。
この照光式回転型電子部品では、ノブ７０を指（図示せず）などで回動させると、ノブ７０の回動によって、回転軸４０が回動する。この回転軸４０の回動によって、本体部３０内の受動素子としての切換部（図示せず）が切換られ、電気的な特性が可変し、所定の電気信号が出力される。
【００１４】
そして、この状態のとき、光源２０がオンの状態で、光を放射していると、光源２０からの光が、導光部材５０の導光部５０ｂによって、基部５０ａを介して照光部５０ｃまで導かれる。この照光部５０ｃまで導かれた光によって、指針部６０が照光され、明るく光ることになり、ノブ７０の回動位置が表示されることになる。
【００１５】
【発明が解決しようとする課題】
上述の如き、従来の照光式回転型電子部品を用いた電子装置では、操作のためにノブ７０を回動させ、そのノブ７０の回動位置を光源２０からの光が導光部材５０の導光部５０ｂによって導かれて指針部６０を光らせ、この指針部６０にて位置表示をするのだが、ノブ７０の回動位置によって、光源２０とノブ７０に配設された導光部材５０との離間距離が近接（至近距離）したり、離れたり（遠距離）するので指針部６０を光らせる導光部材５０によって導かれる光源２０からの光量が増減されることになる。
【００１６】
特に、ノブ７０の回動で導光部材５０が光源２０から最も遠距離になる位置にときは、導光部材５０と光源２０との間に回転軸４０が位置することになり、よって、この回転軸４０が光源２０からの導光部材５０に入力される光を遮ることになり、一層導光部材５０に入力される光が減少することになる。
このことから、指針部６０の照度がノブ７０の回動位置によって増減されることになるという問題がある。
【００１７】
本発明の照光式回転型電子部品とそれを用いた電子装置は、上述の問題点を解決するもので、その目的は、ノブの回動位置に係わらず指針部の照度が均一である照光式回転型電子部品とそれを用いた電子装置を提供する。
【００１８】
【課題を解決するための手段】
本発明の照光式回転型電気部品は、透光性の指針部を有するノブと、光を指針部に導く導光部材と、ノブの回動によって電気的な特性が可変され電気信号を出力する受動素子と、受動素子が収納された筐体と、筐体から外方に突出した回転軸とを備え、ノブが回転軸の先端部に固着され、導光部材が円環部と、円環部の一部から円環部の中心軸と平行に延設された導出部と、円環部と導出部とを連結する連結部とを有し、円環部が回転軸の外周囲に回転軸を囲むように配設され、ノブの回動によって回転軸と導光部材とが共に回動し、円環部、及び連結部によって導出部に導かれた光が、導出部を介して指針部を照光するようにしたことである。
【００１９】
また、本発明の照光式回転型電気部品は、導光部材は、導出部が回転軸に添い、且つ、指針部に対向して配置されたことである。
【００２０】
また、本発明の照光式回転型電子部品は、ノブは、略円筒状に形成され、導光部材の導出部には、導出部から円環部の中心軸方向に延設された係止部が形成され、回転軸の外周面部には凹部が形成され、前記係止部が前記凹部に係止されて、且つ、導光部材の円環部が回転軸の外周面部に保持され、導出部が回転軸の凹部とノブの内壁との間にそれぞれと対向するように配置されたことである。
【００２１】
また、本発明の照光式回転型電気部品を用いた電子装置は、照光式回転型電子部品の筐体が、基板に配設されており、この基板には、筐体から離間されてひとつ、又は複数個の光源が配設されており、光源からの光が円環部、及び連結部によって導出部に導かれ、導出部を介して照光式回転型電子部品の指針部を照光することである。
【００２２】
【発明の実施の形態】
本発明の照光式回転型電子部品を用いた電子装置について図面を用いて説明する。
図１は、本発明の照光式回転型電子部品を用いた電子装置の実施の形態を示す分解斜視図、図２は、本発明の照光式回転型電子部品を用いた電子装置の実施の形態を説明するための要部断面図、図３は、本発明の照光式回転型電子部品の導光部材の実施の形態を示す正面図、図４は、本発明の照光式回転型電子部品の導光部材の実施の形態を示す側面図、図５は、本発明の照光式回転型電子部品の導光部材の実施の形態を示す平面図である。
【００２３】
図１に示すように、照光式回転型電子部品を用いた電子装置は、プリント配線基板１と、プリント配線基板１に配置された光源２と、光源２から離間され、プリント配線基板１に配置され、受動素子としての切換部（図示せず）を収納した本体部３と、本体部３内の切換部を回転操作するための回転軸４と、回転軸４の外周面部（外周囲）に配設された導光部材５と、指針部６を有するノブ７とによって概略構成されている。
【００２４】
また、本発明の照光式回転型電子部品は、前記本体部３と、前記回転軸４と、前記導光部材５と、前記指針部６を有する前記ノブ７とによって概略構成されている。
【００２５】
この照光式回転型電子部品は、例えば、照光式回転型スイッチ装置や照光式回転型可変抵抗器装置などを構成しており、本発明の実施の形態では、照光式回転型スイッチ装置として説明する。
【００２６】
基板としてのプリント配線基板１は、例えば、絶縁性樹脂材料から成り、平板状に形成され、所定の箇所に形成された略小判状の取付孔１ａと、複数個（例えば、６個）の丸孔１ｂと、所定の回路パターン（図示せず）とを有している。
【００２７】
光源２は、例えば、クリプトンランプやＬＥＤ（発光ダイオード）素子などであって、所定の照度を有している。この光源２は、プリント配線基板１の取付孔１ａ内に挿通され、例えば、半田付けや接着剤など適宜手段にてプリント配線基板１に固着・接続されている。
【００２８】
筐体としての本体部３は、合成樹脂材料から成り、成形加工にて形成され、略箱形の筐体部３ａと、筐体部３ａ内に収納された固定接点（図示せず）などから成り、受動素子としてのスイッチ機構を構成する切換部（図示せず）と、前記固定接点などから延設され、筐体部３ａから外方に突出された複数本（例えば、６本）の端子３ｃとを有している。また、筐体部３ａの略中央部から外方に突出する略円筒状の筒部３ｄを有している。また、筐体部３ａをプリント配線基板１に取り付けるための金属板から成り、略平板状の取付部材３ｂが、筐体部３ａをプリント配線基板１に取り付けるように配設されている。
【００２９】
この本体部３は、各端子３ｃがプリント配線基板１の各丸孔１ｂに挿通され、プリント配線基板１に半田付けされている。
【００３０】
この本体部３内に配置された受動素子としてのスイッチ機構を構成する切換部（図示せず）が切換られることによって、電気的な特性が可変され、可変された電気信号が出力される。
【００３１】
回転軸４は、合成樹脂材料から成り、成形加工にて形成され、筒部４ａと、筒部４ａの外周面部の一部に設けられた矩形状の凹部４ｂとを有している。
この回転軸４は、筐体としての本体部３の一方の面（図示上面）から外方に突出するように本体部３に配設され、回転軸４の回動によって、受動素子としてのスイッチ機構が切換られるように構成されている。
この回転軸４は、前記本体部３の筒部３ｄに挿通されて配設され、換言すれば、本体部３から外方に突出するように回転軸４が配設されている。
【００３２】
導光部材５は、図３〜図５に示すように、例えば、アクリル樹脂などの光を導くことが出来る導光性の合成樹脂材料から成り、成形加工によって形成され、略円環状の円環部５ａと、円環部５ａの一部から円環部５ａの中心軸と平行に外方に延設された略角柱状の導出部５ｂと、導出部５ｂから円環部５ａの中心軸方向に延設された一対の係止部５ｃとを有している。
【００３３】
また、円環部５ａと導出部５ｂとの一対の連結部５ｄは、それぞれ略円弧状であって、曲線になるように形成されている。この曲線に形成された連結部５ｄによって、円環部５ａと導出部５ｂとが滑らかなカーブをもって接合されている。このように連結部５ｄを滑らかな曲線とすることで、円環部５ａからの光を円滑に導出部５ｂへ導くことが出来る。
【００３４】
そして、図１に示すように、この導光部材５は、円環部５ａが回転軸４の外周囲に回転軸４を囲むように配設され、導出部５ｂが回転軸４に添うように配設され、且つ、係止部５ｃが回転軸４の凹部４ｂに係止され、この凹部４ｂに係止された係止部５ｃによって導光部材５が回転軸４に対して回り止めされている。
【００３５】
指針部６は、例えば、アクリル樹脂などの光を透過することが出来る透光性の合成樹脂材料から成り、成形加工によって形成されている。
【００３６】
ノブ７は、合成樹脂材料から成り、成形加工によって形成され、略円筒状の基部７ａと、基部７ａの一方の端部側の外周面部に設けられた矩形の貫通孔７ｂと、基部７ａの内壁の一部分で、前記貫通孔７ｂの近傍に設けられた肉薄部７ｃ（図２参照）とを備えている。また、ノブ７の貫通孔７ｂには、前記指針部６が二色成形による成形などの適宜手段にて固着されている。
【００３７】
また、このノブ７は、前記回転軸４の先端部に、例えば、スナップイン係合などの適宜手段にて固着されている。この固着によって、ノブ７と回転軸４とは、一緒に回動出来るように構成されている。
【００３８】
この状態のとき、導光部材５の導出部５ｂは、回転軸４の凹部４ｂとノブ７の内壁に設けられた肉薄部７ｃとの間にそれぞれと対向するように配置されている。そして、導出部５ｂは、指針部６に対向して配置されている。
【００３９】
なお、上述の実施の形態では、導光部材５の円環部５ａと導出部５ｂとの連結部５ｄを円弧状の曲線に形成したが、これに限定されず、一対の連結部をそれぞれ円環部に対して傾斜した直線になるように形成しても良いことは勿論である。
【００４０】
また、上述の実施の形態では、光源をプリント配線基板にひとつのみの配設としたが、これに限定されず、複数個の光源を本体部の周囲に配設しても良いことは勿論である。
【００４１】
次ぎに、この照光式回転型電子部品を用いた電子装置の動作について説明する。
この照光式回転型電子部品では、ノブ７を指（図示せず）などで回動させると、ノブ７の回動によって、回転軸４が回動する。この回転軸４の回動によって、本体部３内の受動素子としての切換部（図示せず）が切換られ、電気的な特性が可変され、所定の電気信号が出力される。
【００４２】
そして、この状態のとき、プリント配線基板１上に配設された光源２がオンの状態で、光を放射していると、光源２からの光が、導光部材５の円環部５ａ、及び連結部５ｄによって、導出部５ｂまで導かれ、導出部５ｂが光るように構成されている。この光る導出部５ｂからの光によって、導出部５ｂと対向配置された指針部６が照光され、明るく光ることになり、照光された指針部６によってノブ７の回動位置が表示されることになる。
【００４３】
このとき、導光部材５の円環部５ａは、回転軸４の周囲を囲むように配設されていることから、光源２と導光部材５の導出部５ｂとの離間距離が近接（至近距離であっても）していても、或いは離れていても（遠距離であっても）、円環部５ａ、及び連結部５ｄによって導出部５ｂに導かれる光源２からの光は、一定の照度を保っていることになる。
【００４４】
そして、特に、導出部５ｂが光源２から最も遠距離になる位置にあるときは、導光部材５の導出部５ｂと光源２との間に回転軸４が位置するのだが、この状態でも光源２の近傍には導光部材５の円環部５ａの一部が配設されていることから、この円環部５ａの一部から光源２の光が入光され、この光が導出部５ｂまで安定して導かれ、ノブ７の回動位置に係わらず、指針部６では均一な光量（照度）が得られるように構成されている。
【００４５】
【発明の効果】
本発明の照光式回転型電子部品では、ノブが回転軸の先端部に固着され、導光部材が円環部を有し、円環部が回転軸の外周囲に回転軸を囲むように配設され、ノブの回動によって回転軸と導光部材とが共に回動し、光が導光部材の円環部によって指針部に導かれ、指針部が照光されるようにしたことによって、指針部の回動位置によって、光源から指針部が離れていても、又は、近接していても光源からの光が導光部材の円環部によって指針部に導かれ、照光される指針部の光量が均一であって、指針部に一定の照明が成されるという効果を奏する。
【００４６】
また、本発明の照光式回転型電子部品では、導光部材は、円環部と、円環部の一部から円環部の中心軸と平行に延設された導出部と、円環部と導出部とを連結する連結部とを有し、導出部が回転軸に添い、且つ、指針部に対向して配置され、円環部、及び連結部によって導出部に導かれた光が、導出部を介して指針部を照光することによって、指針部に対向して配置された導出部に円環部から光が安定して導かれ、指針部の光量が一層均一に維持され、安定した照明が成される。
【００４７】
また、本発明の照光式回転型電子部品では、導光部材の導出部には、導出部から円環部の中心軸方向に延設された係止部が形成され、回転軸の外周面部には凹部が形成され、係止部が凹部に係止されて、且つ、導光部材の円環部が回転軸の外周面部に保持され、導出部が回転軸の凹部とノブの内壁との間にそれぞれと対向するように配置されたことによって、導光部材の回転軸への係止が、導出部の係止部によって簡単に出来、係止部が導出部に設けられていることから導出部の位置決めが容易に出来るという効果を奏する。
【００４８】
また、本発明の照光式回転型電子部品を用いた電子装置では、照光式回転型電子部品の筐体が、基板に配設されており、この基板には、筐体から離間されてひとつ、又は複数個の光源が配設されており、光源からの光が導光部材の円環部によって導出部に導かれ、導出部を介して照光式回転型電子部品の指針部を照光することによって、光源が筐体から離間されて配設されていることから、光源の交換がし易く、電子装置のメンテナンスが容易にできる。
【図面の簡単な説明】
【図１】本発明の照光式回転型電子部品を用いた電子装置の実施の形態を説明するための分解斜視図である。
【図２】本発明の照光式回転型電子部品を用いた電子装置の実施の形態を説明するための要部断面図である。
【図３】本発明の光式回転型電子部品の導光部材の実施の形態を示す正面図である。
【図４】本発明の照光式回転型電子部品の導光部材の実施の形態を示す側面図である。
【図５】本発明の照光式回転型電子部品の導光部材の実施の形態を示す平面図である。
【図６】従来の照光式回転型電子部品を用いた電子装置を示す正面図である。
【図７】従来の照光式回転型電子部品を用いた電子装置を示す側面図である。
【図８】従来の照光式回転型電子部品の導光部材を示す平面図である。
【図９】従来の照光式回転型電子部品の導光部材を示す側面図である。
【図１０】従来の照光式回転型電子部品の導光部材を示す正面図である。
【符号の説明】
１    プリント配線基板（基板）
１ａ  取付孔
２    光源
３    本体部（筐体）
３ａ  筐体部
４    回転軸
４ａ  筒部
４ｂ  凹部
５    導光部材
５ａ  円環部
５ｂ  導出部
５ｃ  係止部
５ｄ  連結部
６    指針部
７    ノブ
７ａ  基部
７ｃ  肉薄部
【図１】
0003904803.tif 000002
【図２】
0003904803.tif 000003
【図３】
0003904803.tif 000004
【図４】
0003904803.tif 000005
【図５】
0003904803.tif 000006
【図６】
0003904803.tif 000007
【図７】
0003904803.tif 000008
【図８】
0003904803.tif 000009
【図９】
0003904803.tif 000010
【図１０】
0003904803.tif 000011